(57)【要約】【課題】送信部電源回路のスイッチングによるノイズの影響を受けることなく、信号の受信状態を良好にする。【解決手段】ＣＰＵ１９は、送受信回路１５から、受信ＦＥＲモニタ値を取得する。取得した受信ＦＥＲモニタ値が予め設定された閾値未満の場合、ＣＰＵ１９は、要求送信電力に基づいて送信部電力増幅器１７に印加する電圧を切り替えるように、送信部電源回路１８を制御する。また、取得した受信ＦＥＲモニタ値が閾値以上の場合、ＣＰＵ１９は、電池２０の出力電圧が直接送信部電力増幅器１７に印加されるように、送信部電源回路１８を制御する。【選択図】図１
2005295396.tif 000002
【特許請求の範囲】
【請求項１】
信号を送受信する送受信装置において、
送信する送信信号を電力増幅する送信電力増幅部と、
送信する送信信号の要求送信電力を取得する要求送信電力取得部と、
電池の電力及び前記電池の電圧を変換した電力のうちのいずれかを、前記送信電力増幅部に供給する電力供給部と、
受信した受信信号の誤り具合を取得し、取得した前記受信信号の誤り具合と予め設定された閾値とを比較し、前記受信信号の誤り具合が前記閾値以上の場合、前記受信信号の受信状態が低下したと判別して、前記電池の電力を前記送信電力増幅部に直接供給するように前記電力供給部を制御し、前記受信信号の誤り具合が前記閾値未満の場合、前記電池の電圧を変換した電力を前記送信電力増幅部に供給するように前記電力供給部を制御する制御部と、を備えた、
ことを特徴とする送受信装置。
【請求項２】
呼制御を行う通信端末に用いられるものであって、
前記制御部は、呼接続の開始から、予め設定された時間が経過するまでの間、前記電池の電圧を前記送信電力増幅部に直接印加するように前記電力供給部を制御する、
ことを特徴とする請求項１に記載の送受信装置。
【請求項３】
信号を受信するとともに、送信信号を電力増幅して送信する送受信装置の送信電力制御方法であって、
受信した受信信号の誤り具合を取得するステップと、
取得した受信信号の誤り具合と予め設定された閾値とを比較するステップと、
取得した前記受信信号の誤り具合が前記閾値未満の場合、受信した受信信号の信号レベルに基づいて、送信する送信信号の要求送信電力を取得するステップと、
前記要求送信電力となるように電池の電力を変換するステップと、
変換した電力に従って、前記送信信号の電力を制御するステップと、
取得した受信信号の誤り具合が前記閾値以上の場合、前記受信信号の受信状態が低下したと判別して、前記電池の電力に従って、直接前記送信信号の電力を制御するステップと、を備えた、
ことを特徴とする送受信装置の送信電力制御方法。
【発明の詳細な説明】
【技術分野】
【０００１】
本発明は、送受信装置及びその送信電力制御方法に関するものである。
【背景技術】
【０００２】
送受信装置として、ＣＤＭＡ（Code Division Multiple Access；符号分割多重接続）方式による携帯電話機では、信号の受信と送信とが同時に行われる。また、携帯電話機は、送信信号の電力を増幅するための送信部電力増幅器と、受信信号の電力を増幅するための受信部電力増幅器と、を備え、アンテナは送信用、受信用で共用される。
【０００３】
また、携帯電話機では、携帯端末が備えるバッテリ電力の節約のため、携帯端末の送信電力に基づいて送信部電力増幅器への供給電源電圧を切り替えるようにしたものがある（例えば、特許文献１参照）。特に、ＣＤＭＡ方式では、送信電力の制御幅が広く、送信増幅段への電力供給における効率化は必須である。このため、携帯電話機は、電池の電力を変換して送信部電力増幅器に供給するＤＣコンバータを備える。
【特許文献１】特開平１１−２５１９３４号公報（第３−５頁、図１、図２）
【発明の開示】
【発明が解決しようとする課題】
【０００４】
しかし、従来のこのような携帯電話機では、電池の電力を変換する際にＤＣコンバータのスイッチングノイズが受信信号に混入し、受信感度を低下させてしまう場合がある。特に、ＣＤＭＡでは、受信と送信は同時に行われるので、送信回路で発生するノイズは、受信側にとっては大きな妨害要因となる。
【０００５】
本発明は、このような従来の問題点に鑑みてなされたもので、信号の受信状態を良好にすることが可能な送受信装置及びその送信電力制御方法を提供することを目的とする。
【課題を解決するための手段】
【０００６】
この目的を達成するため、本発明の第１の観点に係る送受信装置は、
信号を送受信する送受信装置において、
送信する送信信号を電力増幅する送信電力増幅部と、
送信する送信信号の要求送信電力を取得する要求送信電力取得部と、
電池の電力及び前記電池の電圧を変換した電力のうちのいずれかを、前記送信電力増幅部に供給する電力供給部と、
受信した受信信号の誤り具合を取得し、取得した前記受信信号の誤り具合と予め設定された閾値とを比較し、前記受信信号の誤り具合が前記閾値以上の場合、前記受信信号の受信状態が低下したと判別して、前記電池の電力を前記送信電力増幅部に直接供給するように前記電力供給部を制御し、前記受信信号の誤り具合が前記閾値未満の場合、前記電池の電圧を変換した電力を前記送信電力増幅部に供給するように前記電力供給部を制御する制御部と、を備えたことを特徴とする。
【０００７】
受信信号の誤り具合が前記閾値以上の場合、電力供給部が電池の電力を変換せずに、送信電力増幅部に直接供給するので、電力供給部の電力変換に伴うノイズを低減することができ、受信信号の受信状態を良好にすることができる。
【０００８】
呼制御を行う通信端末に用いられるものであって、
前記制御部は、呼接続の開始から、予め設定された時間が経過するまでの間、前記電池の電圧を前記送信電力増幅部に直接印加するように前記電力供給部を制御するようにしてもよい。
【０００９】
本発明の第２の観点に係る送受信装置の送信電力制御方法は、
信号を受信するとともに、送信信号を電力増幅して送信する送受信装置の送信電力制御方法であって、
受信した受信信号の誤り具合を取得するステップと、
取得した受信信号の誤り具合と予め設定された閾値とを比較するステップと、
取得した前記受信信号の誤り具合が前記閾値未満の場合、受信した受信信号の信号レベルに基づいて、送信する送信信号の要求送信電力を取得するステップと、
前記要求送信電力となるように電池の電力を変換するステップと、
変換した電力に従って、前記送信信号の電力を制御するステップと、
取得した受信信号の誤り具合が前記閾値以上の場合、前記受信信号の受信状態が低下したと判別して、前記電池の電力に従って、直接前記送信信号の電力を制御するステップと、
を備えたことを特徴とする。
【発明の効果】
【００１０】
本発明によれば、受信信号の受信状態を良好にすることができる。
【発明を実施するための最良の形態】
【００１１】
以下、本発明の実施形態に係る送受信装置を図面を参照して説明する。
本実施形態に係る送受信装置の構成を図１に示す。
本実施形態に係る送受信装置は、信号を送受信するものであり、例えば、ＣＤＭＡ方式による携帯電話機に適用される。送受信装置は、アンテナ１１と、デュープレクサ１２と、受信部電力増幅器１３と、送受信回路１４と、音声Ｉ／Ｆ１５と、表示部１６と、送信部電力増幅器１７と、送信部電源回路１８と、ＣＰＵ１９と、を備える。
【００１２】
アンテナ１１は、電波を受信するとともに、電波を送出するためのものである。
デュープレクサ１２は、周波数の帯域を制限して周波数を選択し、送信信号と受信信号との通過方向を制御するためのものである。
【００１３】
受信部電力増幅器１３は、受信信号の電力を増幅するものである。
送受信回路１４は、受信部電力増幅器１３が電力増幅した受信信号を復調して音声信号等を生成するとともに、ＣＰＵ１９からの送信データに基づいて送信信号を生成するものである。
【００１４】
尚、携帯電話機は、受信信号の受信レベルを検出し、原則として、最も受信レベルが高い基地局を選択する。また、選択された基地局（図示せず）は、この携帯電話機に要求送信電力Ptxを指示する。送受信回路１４は、携帯電話機の基地局と交信を開始する時は、受信電力に基づいて携帯電話機の要求電力を取得し、選択した基地局から要求送信電力Ptxが指示されると、送受信回路１４は、指示された要求送信電力Ptxを取得する。
【００１５】
また、送受信回路１４は、受信部電力増幅器１３が電力増幅した受信信号の誤り具合としてＦＥＲ（Flame Error Rate）をモニタする。
【００１６】
音声Ｉ／Ｆ１５は、送受信回路１４が復調した音声信号を音声に変換するとともに、音声を音声信号に変換するものである。
表示部１６は、携帯電話機の機能に必要な情報を表示するものである。
【００１７】
送信部電力増幅器１７は、送受信回路１４が生成した送信信号の電力を、送信部電源回路１８から供給された電力に基づいて増幅するものである。
【００１８】
送信部電源回路１８は、電流供給源である電池２０の電力又は要求送信電力Ptxに基づいて電池２０の電圧を変換した電力を、送信部電力増幅器１７に供給するものである。
【００１９】
送信部電源回路１８は、図２に示すように、トランジスタＱ１、Ｑ２と、インダクタＬ１と、コンデンサＣ１と、スイッチ３１と、電圧コントローラ３２と、を備えたものであり、降圧型チョッパ回路によって構成されている。
【００２０】
トランジスタＱ１は、電圧コントローラ３２から供給された信号に基づいてオン、オフし、オン、オフすることによってインダクタＬ１に流れる電流を変化させ、インダクタＬ１に起電力を励起させるものである。トランジスタＱ１は、Ｐチャンネルの電界効果トランジスタ（ＦＥＴ）によって構成されている。トランジスタＱ１のソースは、電池２０の正極に接続され、ドレインは、インダクタＬ１の一端に接続され、ゲートは、電圧コントローラ３２の出力端に接続されている。
【００２１】
インダクタＬ１は、トランジスタＱ１から電流が供給されてエネルギを蓄積し、起電力を発生させるものであり、その他端は、送信部電力増幅器１７の正極に接続されている。
【００２２】
コンデンサＣ１は、インダクタＬ１から流れ出る電流を平滑化するためのものであり、電解コンデンサによって構成されている。コンデンサＣ１の一端は、インダクタＬ１の他端に接続され、他端は、接地されている。
【００２３】
トランジスタＱ２は、電圧コントローラ３２に制御されて、トランジスタＱ１がオフしている間、インダクタＬ１に充電された磁束電流を通過させるためのものであり、ＮチャンネルのＦＥＴによって構成されている。トランジスタＱ２のドレインは、トランジスタＱ１のドレインに接続され、ソースは接地され、ゲートは電圧コントローラ３２の制御端に接続されている。
【００２４】
スイッチ３１は、電圧コントローラ３２に制御されて、電池２０とインダクタＬ１とを短絡するためのものである。
【００２５】
電圧コントローラ３２は、ＣＰＵ１９から電圧コントロール信号Ｓ１が供給され、供給された電圧コントロール信号Ｓ１の値Ｓcに基づいて電池２０の電圧を変換する。また電圧コントローラ３２は、送信部電力増幅器１７に印加する出力電圧Ｖccを検出し、検出した出力電圧Ｖccが目標値となるように、トランジスタＱ１のパルス幅を制御する。
【００２６】
本実施形態では、電池２０の出力電圧を３．８Ｖとし、送信部電源回路１８は、電池２０の出力電圧３．８Ｖを変換して、送信部電力増幅器１７に印加する出力電圧Ｖccを、１．５Ｖ（V_Low）、２．５Ｖ（V_Mid）、３．８Ｖ（V_High）に設定するものとする。
【００２７】
電圧コントローラ３２は、送信部電力増幅器１７に、１．５Ｖ（Low）、２．５Ｖ（Mid）の出力電圧Ｖccを印加する場合、スイッチ３１を開くように制御する。電圧コントローラ３２は、送信部電力増幅器１７に１．５Ｖ又は２．５Ｖの出力電圧Ｖccを印加する場合、トランジスタＱ１，Ｑ２を交互にオンして、降圧スイッチング動作を行うようトランジスタＱ１，Ｑ２のゲートにパルス信号を供給する。
【００２８】
また、電圧コントローラ３２は、３．８Ｖ（V_High）の電圧を送信部電力増幅器１７に印加する場合、スイッチ３１を閉じるように制御する。送信部電力増幅器１７は、送信部電源回路１８から、出力電圧Ｖcc１．５Ｖ、２．５Ｖ、３．８Ｖが印加されることにより、送信信号の増幅可能な振幅範囲を可変する。
【００２９】
ＣＰＵ１９は、送受信装置全体を制御するものである。具体的には、ＣＰＵ１９は、要求送信電力Ptxと受信信号の受信ＦＥＲモニタ値x0とを送受信回路１４から取得する。
ＣＰＵ１９は、取得した要求送信電力Ptxと要求送信電力Ptxに対して予め設定された閾値Ptx1、Ptx2とを比較する（Ptx1＜Ptx2）。閾値Ptx1，Ptx2は、電圧コントロール信号の信号レベルを切り替えるために予め設定された値である。
【００３０】
ＣＰＵ１９は、取得した要求送信電力Ptxと閾値Ptx1，Ptx2とを比較した結果に基づいて電圧コントロール信号Ｓ１の値Ｓcを設定して、電圧コントローラ３２に出力する。尚、電圧コントロール信号Ｓ１の伝送線は、２本とされ、ＣＰＵ１９は、この２本の伝送線を介して電圧コントローラ３２に電圧コントロール信号Ｓ１を出力する。
【００３１】
また、ＣＰＵ１９は、送受信回路１４がＦＥＲをモニタしたときの受信ＦＥＲモニタ値x0を、送受信回路１４から取得する。ＣＰＵ１９は、取得した受信ＦＥＲモニタ値x0と受信ＦＥＲモニタ値x0に対して予め設定された閾値x＿THとを比較する。比較した結果、受信ＦＥＲモニタ値x0が閾値x＿TH未満の場合、ＣＰＵ１９は、送信部電源回路１８によるスイッチングノイズが混入しておらず、受信信号の受信状態は良好と判別する。この場合、ＣＰＵ１９は、出力電圧Ｖccが１．５Ｖ（V_Low）、２．５Ｖ（V_Mid）、３．８Ｖ（V_High）になるように、電圧コントロール信号Ｓ１の値Ｓcを、それぞれ、Sc_Low，Sc_Mid，Sc_Highに設定し、送信部電源回路１８を制御する。
【００３２】
一方、ＣＰＵ１９は、受信ＦＥＲモニタ値x0が閾値x＿TH以上の場合、送信部電源回路１８によるスイッチングノイズが混入する等の原因で受信信号の受信状態は低下したと判別する。この場合、ＣＰＵ１９は、トランジスタＱ１、Ｑ２のスイッチング動作を停止し、さらにスイッチ３１を閉じて電池２０の電圧が直接送信部電力増幅器１７に印加されるように電圧コントローラ３２に電圧コントロール信号Ｓ１を出力して送信部電源回路１８を制御する。
【００３３】
尚、送受信装置は、記憶部（図示せず）を備え、予め設定された閾値Ptx1、Ptx2と、閾値x＿THと、をこの記憶部に予め記憶する。
【００３４】
次に本実施形態に係る送受信装置の動作を説明する。
アンテナ１１が電波を受信すると、デュープレクサ１２は、帯域を制限してこの受信信号を選択する。受信部電力増幅器１３は、デュープレクサ１２を介してこの受信信号を受信し、この受信信号を増幅して、送受信回路１４に送出する。
【００３５】
送受信回路１４は、受信信号を音声Ｉ／Ｆ１５に出力する。音声Ｉ／Ｆ１５は、受信信号を音声信号に変換する。また送受信回路１４は、受信信号のＦＥＲをモニタする。
【００３６】
ＣＰＵ１９は、データを送信する場合、送信データを送受信回路１４に出力する。また、ＣＰＵ１９は、図３に示すフローチャートに従って、送信電力制御処理を実行する。
【００３７】
まず、ＣＰＵ１９は、受信信号の受信ＦＥＲモニタ値x0を送受信回路１４から取得する（ステップＳ１１）。
ＣＰＵ１９は、受信信号の受信ＦＥＲモニタ値x0と閾値x_THと比較して、受信ＦＥＲモニタ値x0が閾値x_TH未満か否かを判定する（ステップＳ１２）。
【００３８】
受信ＦＥＲモニタ値ｘが閾値x_TH未満と判定した場合（ステップＳ１２においてＹｅｓ）、ＣＰＵ１９は、受信信号の受信状態は良好と判別して、要求送信電力Ptxを取得する（ステップＳ１３）。
【００３９】
ＣＰＵ１９は、要求送信電力Ptxと閾値Ptx1とを比較し、要求送信電力Ptxが閾値Ptx1以下（Ptx≦Ptx1）か否かを判定する（ステップＳ１４）。
【００４０】
要求送信電力Ptxが閾値Ptx1以下と判定した場合（Ptx≦Ptx1；ステップＳ１４においてＹｅｓ）、ＣＰＵ１９は、電圧コントロール信号Ｓ１の値ＳcをSc_Lowに設定する（ステップＳ１５）。
【００４１】
要求送信電力Ptxが閾値Ptx1以下ではないと判定した場合（Ptx＞Ptx1；ステップＳ１４においてＮｏ）、ＣＰＵ１９は、要求送信電力Ptxと閾値Ptx2とを比較し、要求送信電力Ptxが閾値Ptx2以下（Ptx≦Ptx2）か否かを判定する（ステップＳ１６）。
【００４２】
要求送信電力Ptxが閾値Ptx2以下と判定した場合（Ptx≦Ptx2；ステップＳ１６においてＹｅｓ）、ＣＰＵ１９は、電圧コントロール信号Ｓ１の値ＳcをSc_Midに設定する（ステップＳ１７）。
【００４３】
要求送信電力Ptxが閾値Ptx2以下ではないと判定した場合（Ptx＞Ptx2；ステップＳ１６においてＮｏ）、ＣＰＵ１９は、電圧コントロール信号Ｓ１の値ＳcをSc_Highに設定する（ステップＳ１８）。
【００４４】
一方、受信ＦＥＲモニタ値x0が閾値x_TH以上と判定した場合（ステップＳ１２においてＮｏ）、ＣＰＵ１９は、電圧コントロール信号Ｓ１の値ＳcをSc_Highに設定する（ステップＳ１８）。
【００４５】
ＣＰＵ１９は、値Ｓcを設定した電圧コントロール信号Ｓ１を送信部電源回路１８に供給する（ステップＳ１９）。そして、ＣＰＵ１９は、この送信電力制御処理を終了させる。
【００４６】
送信部電源回路１８は、ＣＰＵ１９から供給された電圧コントロール信号Ｓ１の値Ｓcに従って、送信部電力増幅器１７に印加する出力電圧Ｖccを制御する。
【００４７】
従って、受信ＦＥＲモニタ値x0が閾値x_TH未満（x0＜x_TH）であって、要求送信電力Ptxが０≦Ptx＜Ptx１の場合、ＣＰＵ１９は、Ｓc_Lowの電圧コントロール信号Ｓ１を送信部電源回路１８の電圧コントローラ３２に供給する。電圧コントローラ３２は、トランジスタＱ１，Ｑ２を交互にオン、オフするパルス信号を、トランジスタＱ１，Ｑ２に供給し、スイッチング動作をさせる。これにより、送信部電源回路１８は、図４に示すように、１．５Ｖ（V_Low）の出力電圧Ｖccを送信部電力増幅器１７に印加する。この場合、携帯電話機は、最も弱い電波をアンテナ１１から送出する。
【００４８】
要求送信電力PtxがPtx１≦Ptx＜Ptx2の場合、ＣＰＵ１９は、Ｓc_Midの電圧コントロール信号Ｓ１を電圧コントローラ３２に供給する。電圧コントローラ３２は、トランジスタＱ１，Ｑ２を交互にオン、オフするパルス信号を、トランジスタＱ１，Ｑ２に供給し、スイッチング動作をさせる。これにより、送信部電源回路１８は、２．５Ｖ（V_Mid）の出力電圧Ｖccを送信部電力増幅器１７に印加する。この場合、携帯電話機は、強度が中間レベルの電波をアンテナ１１から送出する。
【００４９】
要求送信電力PtxがPtx2≦Ptxの場合、ＣＰＵ１９は、Ｓc_Highの電圧コントロール信号Ｓ１を電圧コントローラ３２に供給する。電圧コントローラ３２は、スイッチ３１を閉じ、さらにトランジスタＱ１，Ｑ２をオフにし、スイッチング動作を停止させる。これにより、送信部電源回路１８は、３．８Ｖ（V_High）の出力電圧Ｖccを送信部電力増幅器１７に印加する。携帯電話機は、最も強い電波をアンテナ１１から送出する。
【００５０】
また、受信ＦＥＲモニタ値x0が閾値x_TH以上（x_TH≦x0）の場合は、ＣＰＵ１９は、Ｓc_Highの電圧コントロール信号Ｓ１を電圧コントローラ３２に供給する。電圧コントローラ３２は、スイッチ３１を閉じ、さらにトランジスタＱ１，Ｑ２をオフにし、スイッチング動作を停止させる。
【００５１】
これにより、送信部電源回路１８は、電池２０と送信部電力増幅器１７とを直接接続し、３．８Ｖ（V_High）の出力電圧Ｖccを送信部電力増幅器１７に印加する。電池２０と送信部電力増幅器１７とが直接接続されることにより、受信部電力増幅器１３等は、送信部電源回路１８のスイッチングの影響を受けなくなり、受信状態は良好となる。
【００５２】
以上説明したように、本実施形態によれば、受信ＦＥＲモニタ値x0が閾値x_TH以上の場合、ＣＰＵ１９は、送受信回路１４が送信部電源回路１８のノイズの影響を受けていると判別し、送信部電源回路１８を制御して電池２０と送信部電力増幅器１７との間を直結するようにした。
【００５３】
従って、送信部電源回路１８のスイッチングによるノイズの影響を受けることなく、信号の受信状態を良好にすることができ、また、良好な受信感度を維持することができる。
【００５４】
尚、本発明を実施するにあたっては、種々の形態が考えられ、上記実施形態に限られるものではない。
例えば、送信信号の送信開始から所定時間が経過するまでの間も、電池２０の出力電圧３．８Ｖを送信部電力増幅器１７に印加することもできる。この場合、送受信装置は、タイマを備え、また、タイマのタイム値ｔとタイム値ｔに対して予め設定された閾値t_THを記憶部に記憶する。
【００５５】
この動作を図５に示すフローチャートに基づいて説明する。
ＣＰＵ１９は、タイマ値ｔをリセットする（ステップＳ２１）。
ＣＰＵ１９は、電圧コントロール信号Ｓ１の値ＳcをSc_Highに設定する（ステップＳ２２）。
【００５６】
ＣＰＵ１９は、タイマ値ｔを、基地局との呼接続タイミングをトリガとしてカウントアップする（ステップＳ２３）。
ＣＰＵ１９は、タイマ値ｔが閾値t_TH以上になったか否かを判定する（ステップＳ２４）。
【００５７】
タイマ値ｔが閾値t_TH未満であると判定した場合（ステップＳ２４においてＮｏ）、ＣＰＵ１９は、再び、タイマ値ｔをカウントアップする（ステップＳ２３）。
【００５８】
タイマ値ｔが閾値t_TH以上であると判定した場合（ステップＳ２４においてＹｅｓ）、ＣＰＵ１９は、前述の電圧制御処理（ステップＳ１１〜Ｓ１９）を実行する。
【００５９】
このように、基地局との呼接続時点から所定時間が経過するまで、電池２０の出力電圧を送信部電力増幅器１７に印加すれば、その間、上記判定を行うまでもなく、良好な受信状態でデータを送ることができる。特に、通信時間が短いメール受信では有効であり、通信中、常に、良好な受信状態でデータを送ることができ、しかも、通信時間が短いため、電力消費も少なくてすむ。
【００６０】
上記実施形態では、受信信号の誤り具合として、ＦＥＲをモニタするようにした。しかし、受信信号の誤り具合は、このものに限られるものではなく、ＢＥＲ（Bit Error Rate）であってもよい。
【００６１】
上記実施形態では、電池２０の３．８Ｖを直接送信部電力増幅器１７に印加するようにしたので、スイッチ３１を送信部電源回路１８内に備え、電圧コントローラ３２がスイッチ３１の開閉を制御するようにした。しかし、スイッチ３１を送信部電源回路１８外に備え、ＣＰＵ１９がスイッチ３１の開閉を制御するように構成されることもできる。
【００６２】
送信部電源回路１８は、チョッパ回路によって構成されるだけでなく、リンギングチョークコンバータ等によって構成されてもよいし、また、シリーズレギュレータによって構成されてもよい。
【００６３】
本実施形態では、送受信装置を携帯電話機に適用した場合について説明した。しかし、他のもの、例えば、通信機能を備えるＰＤＡ（Personal Digital Assistance；携帯情報端末）に適用することもできる。
【図面の簡単な説明】
【００６４】
【図１】本発明の実施形態に係る送受信装置の構成を示すブロック図である。
【図２】図１に示す送信部電源回路の構成を示す回路図である。
【図３】図１に示すＣＰＵが実行する送信電力制御処理の内容を示すフローチャートである。
【図４】要求送信電力と送信部電力増幅器の印加電圧との関係を示す説明図である。
【図５】図１に示すＣＰＵが実行する送信電力制御処理（２）を示すフローチャートである。
【符号の説明】
【００６５】
１１・・・アンテナ、１２・・・デュープレクサ、１３・・・受信部電力増幅器、１４・・・送受信回路、１７・・・送信部電力増幅器、１８・・・送信部電源回路、１９・・・ＣＰＵ、２０・・・電池、３１・・・スイッチ、３２・・・電圧コントローラ
【図１】
2005295396.tif 000003
【図２】
2005295396.tif 000004
【図３】
2005295396.tif 000005
【図４】
2005295396.tif 000006
【図５】
2005295396.tif 000007